(57)【要約】【課題】冷却を改善した電気モータを提供する。【解決手段】電気モータは、固定子と、固定子に回転可能に装着された回転子とを有する。回転子は、シャフトと、シャフトに装着されたファンとを有する。軸方向延長部をもつ空気ガイド構造体が、ファンに隣接して固定子の一端に配置される。モータの軸方向及び／又は半径方向における軸方向延長部とファンとの間のギャップは、ファンの出口からギャップを通してファンの入口へと流れる空気により生じる空気の渦を減少するために狭くされる。ギャップの巾は、０．０５ｍｍより大きく且つ２．０ｍｍより小さいのが好ましい。ファンの冷却効率が高まり、モータの性能が改善される。【選択図】図１
2011139631.tif 000002
【特許請求の範囲】
【請求項１】
固定子と；
固定子に回転可能に装着され且つシャフトを有する回転子と；
シャフトに装着され、入口及び出口を有するファンと；
ファンに隣接して固定子の一端に配置された軸方向延長部をもつ空気ガイド構造体と；
軸方向延長部とファンとの間に形成されたギャップであって、ファンの出口から該ギャップを通してファンの入口へと流れる空気を制限するに充分なほど巾の狭いギャップと；
を備えた電気モータ。
【請求項２】
前記ギャップの巾は、０．０５ｍｍより大きく且つ２．０ｍｍより小さい、請求項１に記載のモータ。
【請求項３】
前記固定子は、更に、固定子コアと、該固定子コアの周りに巻かれた巻線と、該巻線からコアを絶縁する端部プロテクタとを備え、該端部プロテクタは、前記空気ガイド構造体の軸方向延長部と一体的に形成される、請求項１又は２に記載のモータ。
【請求項４】
前記固定子は、更に、固定子コアと、該固定子コアの周りに巻かれた巻線と、該巻線からコアを絶縁する端部プロテクタとを備え、更に、該端部プロテクタは、その端部が半径方向に延びて、前記固定子コアの歯の軸方向端を少なくとも部分的にカバーする、請求項１又は２に記載のモータ。
【請求項５】
前記固定子は、その軸方向端に配置された２つのエンドキャップを備え、これら２つのエンドキャップの一方の外側付近にファンが配置される、請求項１から４のいずれかに記載のモータ。
【請求項６】
前記固定子は、更に、固定子コアと、該固定子コアに２つのエンドキャップを固定するために該固定子コアの内部を通して延びる複数のロック部材とを備えた、請求項５に記載のモータ。
【請求項７】
前記固定子は、その軸方向端に配置された２つのエンドキャップを備え、これら２つのエンドキャップの一方の内側付近にファンが配置される、請求項１から４のいずれかに記載のモータ。
【請求項８】
前記ファンは、前記空気ガイド構造体の軸方向延長部の端に配置された遠心ファンであり、そして前記ギャップは、前記モータの軸方向において軸方向延長部とファンとの間に形成される、請求項１から７のいずれかに記載のモータ。
【請求項９】
前記ファンに隣接した軸方向延長部の端は、トランペット形状である、請求項８に記載のモータ。
【請求項１０】
前記ファンは、複数の羽根を有し、そして前記空気ガイド構造体の軸方向延長部に隣接する前記羽根の一端に面取り部が形成される、請求項８又は９に記載のモータ。
【請求項１１】
前記ファンは、前記空気ガイド構造体の軸方向延長部の内側付近に配置された軸方向ファンであり、そして前記ギャップは、前記モータの半径方向において軸方向延長部とファンとの間に形成される、請求項１から７のいずれかに記載のモータ。
【請求項１２】
前記ファンは、前記空気ガイド構造体の軸方向延長部の端の外側に配置された軸方向ファンであり、そして前記ファンの外半径は、前記空気ガイド構造体の軸方向延長部の外半径より大きい、請求項１から７のいずれかに記載のモータ。
【発明の詳細な説明】
【技術分野】
【０００１】
本発明は、電気モータに係り、特に、冷却ファンを伴う小型電気モータに係る。
【背景技術】
【０００２】
一般的に、ＰＭＤＣモータ及び電子整流ＤＣモータのような小型電気モータは、固定子と、固定子に設置された回転子とを備えている。固定子の軸方向端には、２つのエンドキャップが配置される。２つのエンドキャップは、シャフトをジャーナル軸受するベアリングを有する。モータから熱を除去するため、一方のエンドキャップの内側において固定子コアとエンドキャップとの間でシャフトにファンが固定される。
【０００３】
しかしながら、モータの物理的サイズを減少しながらモータの電力を増加するために、放熱の問題が顕著なものとなる。
【発明の概要】
【発明が解決しようとする課題】
【０００４】
そこで、冷却を改善した電気モータが望まれる。
【課題を解決するための手段】
【０００５】
従って、本発明は、その１つの態様において、固定子と；固定子に回転可能に装着され且つシャフトを有する回転子と；シャフトに装着され、入口及び出口を有するファンと；ファンに隣接して固定子の一端に配置された軸方向延長部をもつ空気ガイド構造体と；その軸方向延長部とファンとの間に形成されたギャップであって、ファンの出口から該ギャップを通してファンの入口へと流れる空気を制限するに充分なほど巾の狭いギャップと；を備えた電気モータを提供する。
【０００６】
好ましくは、ギャップの巾は、０．０５ｍｍより大きく且つ２．０ｍｍより小さい。
【０００７】
好ましくは、固定子は、更に、固定子コアと、固定子コアの周りに巻かれた巻線と、巻線からコアを絶縁する端部プロテクタとを備え、端部プロテクタは、空気ガイド構造体の軸方向延長部と一体的に形成される。
【０００８】
好ましくは、固定子は、更に、固定子コアと、固定子コアの周りに巻かれた巻線と、巻線からコアを絶縁する端部プロテクタとを備え、更に、端部プロテクタは、その端部が半径方向に延びて、固定子コアの歯の軸方向端を少なくとも部分的にカバーする。
【０００９】
好ましくは、固定子は、その軸方向端に配置された２つのエンドキャップを備え、これら２つのエンドキャップの一方の外側付近にファンが配置される。
【００１０】
好ましくは、固定子は、更に、固定子コアと、固定子コアに２つのエンドキャップを固定するために固定子コアの内部を通して延びる複数のロック部材とを備えている。
【００１１】
好ましくは、固定子は、その軸方向端に配置された２つのエンドキャップを備え、これら２つのエンドキャップの一方の内側付近にファンが配置される。
【００１２】
好ましくは、ファンは、空気ガイド構造体の軸方向延長部の端に配置された遠心ファンであり、そしてギャップは、モータの軸方向において軸方向延長部とファンとの間に形成される。
【００１３】
好ましくは、ファンに隣接した軸方向延長部の端は、トランペット形状である。
【００１４】
好ましくは、ファンは、複数の羽根を有し、そして空気ガイド構造体の軸方向延長部に隣接する羽根の一端に面取り部が形成される。
【００１５】
好ましくは、ファンは、空気ガイド構造体の軸方向延長部の内側付近に配置された軸方向ファンであり、そしてギャップは、モータの半径方向において軸方向延長部とファンとの間に形成される。
【００１６】
好ましくは、ファンは、空気ガイド構造体の軸方向延長部の端の外側に配置された軸方向ファンであり、そしてファンの外半径は、空気ガイド構造体の軸方向延長部の外半径より大きい。
【００１７】
以下、添付図面を参照し、本発明の好ましい実施形態を一例として説明する。２つ以上の図に現れる同じ構造物、要素又は部品は、一般的に、それらが現れる全ての図において同じ参照番号で示す。図示されたコンポーネント及び特徴部の寸法は、一般的に、表現の便宜上及び明瞭化のために選択されたものであって、必ずしも一定の縮尺率で描かれていない。
【図面の簡単な説明】
【００１８】
【図１】本発明の第１の好ましい実施形態によるモータの斜視図である。
【図２】図１のモータの軸方向断面図である。
【図３】図１のモータの一部分である空気ガイド構造体の斜視図である。
【図４】本発明の第２の実施形態による空気ガイド構造体の軸方向延長部の軸方向断面図である。
【図５】本発明の別の実施形態による空気ガイド構造体の軸方向延長部の軸方向断面図である。
【図６】異なる実施形態におけるファンの概略軸方向断面図である。
【図７】異なる実施形態におけるファンの概略軸方向断面図である。
【図８】異なる実施形態におけるファンの概略軸方向断面図である。
【図９】異なる実施形態における遠心型ファンと空気ガイド構造体との間の相対的位置を示す図である。
【図１０】異なる実施形態における遠心型ファンと空気ガイド構造体との間の相対的位置を示す図である。
【図１１】異なる実施形態における軸方向型ファンと空気ガイド構造体との間の相対的位置を示す図である。
【図１２】異なる実施形態における軸方向型ファンと空気ガイド構造体との間の相対的位置を示す図である。
【図１３】別の実施形態によるモータの軸方向断面図である。
【発明を実施するための形態】
【００１９】
図１、２及び３は、本発明の好ましい実施形態によるモータを示す。モータは、固定子１０と、該固定子に対して回転可能な回転子４０とを備えている。回転子４０は、シャフト４２を含む。シャフト４２の一端にファン４４が装着される。ファン４４は、エンドキャップ２２の軸方向外側に配置される。
【００２０】
固定子１０は、鉄のような透磁性材料で作られた固定子コア１２と、巻線１４とを備えている。固定子コア１２は、ヨーク１６と、ヨークから内方に延びる複数の歯とを含む。巻線１４は、歯の周りに巻かれる。ヨーク１６の放熱面積を増加するためにヨーク１６の外面には複数のスロット（図示せず）が軸方向に形成される。
【００２１】
固定子１０は、更に、２つのエンドキャップ２０、２２と、これらエンドキャップ２０、２２を固定するための複数のロック部材２４とを備えている。ロック部材２４は、固定子の内部を通して延びる。好ましくは、ロック部材２４は、ヨーク１６の内側で隣接歯間に形成された各スロットを通して延びる。固定子１０は、更に、固定子コアの鋭い縁から巻線を保護すると共に巻線１４から固定子コア１２を絶縁するために固定子コア１２の軸方向端に各々配置された２つの端部プロテクタ２６、２７も備えている。
【００２２】
各エンドキャップ２０、２２は、回転子４０のシャフト４２を支持するための端部２０２、２２２と、これら端部２０２、２２２から軸方向に延びる軸方向延長部２０４、２２４とを含む。固定子コアの歯の２つの軸方向端の内部は、歯の他部分に対してくぼんでいて、段１９が形成される。エンドキャップ２０、２２の軸方向延長部２０４、２２４の端が１９に当接して、軸方向延長部２０４、２２４を軸方向及び半径方向に位置付けする。任意であるが、端部プロテクタ２６、２７の内部円筒面が充分な精度を有する場合には、軸方向延長部２０４、２２４の端を、端部プロテクタ２６、２７の内部円筒面により半径方向に位置付けると共に、エンドキャップ２０、２２の軸方向延長部２０４、２２４の端により軸方向に位置付けることができる。
【００２３】
ファン４４に隣接する端部プロテクタ２７は、空気ガイド構造体２８と一体的に形成される。端部プロテクタは、端部２８２と、該端部２８２の外周から軸方向に延びる軸方向延長部２８４とを有する。端部２８２は、固定子コアの歯に対応する多数の半径方向延長部を含む。半径方向延長部は、固定子コアの歯の軸方向端にぴったり取り付けられ、巻線１４をコアから絶縁する。空気ガイド構造体２８を形成する軸方向延長部２８４は、チューブ状であり、エンドキャップ２２の外周を取り巻く。空気ガイド構造体のチューブ状部分は、正円形断面であるのが好ましいが、固定子コアの形状に一般的に一致するように、楕円、方形、長方形、等の他の断面形状も考えられる。例えば、固定子が方形である場合には、軸方向延長部２８４が、方形断面のチューブ状でよい。端部２８２から離れた軸方向延長部２８４の端は、フレア状又はトランペット形状の端が形成されるように半径方向外方に延びる。
【００２４】
ファン４４は、半径方向外方に延びる多数の羽根４６を含む遠心ファンである。羽根４６は、空気ガイド構造体２８を向いている。羽根４６の端と、空気ガイド構造体２８の軸方向延長部２８４の端との間には、細い軸方向ギャップが形成される。ギャップの巾は、０．０５ｍｍより大きく且つ２．０ｍｍより小さいのが好ましい。モータが動作されるときには、ファン４４により発生される空気流が、固定子の隣接歯間に形成されるスロット及び固定子と回転子との間のスペースへと流れ込み、次いで、ファン４４の羽根４６間に形成された空気流路を通してファンに隣接するモータの端から流れ出し、回転子コア、磁石（図示せず）及び固定子巻線１４を冷却する。或いは又、空気は、逆方向にも流れる。羽根４６の端と空気ガイド構造体２８の軸方向延長部２８４の端との間に形成された細い軸方向ギャップは、ファン４４の出口側の高圧領域からファン４４の入口側の低圧領域へ空気が流れるのを防止することができる。空気ガイドに接触せずにファンを回転できるようにするためにファンと空気ガイドとの間にギャップがなければならない。しかしながら、通常、ファンの出口からファンの入口へ空気の著しい循環又は交差流があり、モータを通して流れる空気の量を減少させる。空気のこの交差流を制限することにより、より多くの空気がモータを通して引き出される。従って、ファン４４の冷却効率が高められ、モータの性能が改善される。
【００２５】
任意であるが、空気ガイド構造体２８は、端部プロテクタ２７とは別に形成することができ、半径方向に延びる軸方向端部と、この軸方向端部の周囲から軸方向に延びる軸方向延長部とを含む。軸方向端部は、端部プロテクタに取り付けられる。
【００２６】
又、空気ガイド構造体２８のトランペット形状の端は、空気ガイド構造体２８の軸方向延長部２８４の端の内面を、図４及び５に示す凸状、凹状又は直線状表面である面取り形状へとカットすることにより形成することができる。空気ガイド構造体２８に形成されるトランペット形状の端は、空気の渦の発生を減少する上で助けとなる。
【００２７】
又、空気ガイド構造体２８の軸方向延長部２８４に隣接するファン４４の羽根４６の端も、図６ないし８に示す直線状、凸状又は凹状表面である面取り形状へとカットすることができる。
【００２８】
ファン４４及び空気ガイド構造体２８は、種々の装着位置を有することができる。例えば、ファン４４は、図９に示すように、空気ガイド構造体２８の軸方向延長部２８４から完全に外に配置されてもよい。又、ファン４４は、図１０に示すように、空気ガイド構造体２８の軸方向延長部２８４内に部分的に配置されてもよい。
【００２９】
任意であるが、ファン４４は、軸方向ファンである。ファン全体が空気ガイド構造体２８の軸方向延長部２８４から完全に外に配置されてもよい。ファン４４の軸方向端と、軸方向延長部２８４の軸方向端面との間に軸方向ギャップが形成される。ファン４４の外半径は、図１１に示すように、固定子コアの外半径より大きい。従って、ファン４４により発生される空気流のうち、ある空気が固定子の隣接歯間のギャップを通して流れ、又、ある空気が固定子コア１２の外側に流れて、固定子コアを冷却する。ファン４４が軸方向ファンであるときには、空気ガイド構造体２８の軸方向延長部２８４内に完全に配置され、図１２に示すように、ファン４４の外周と軸方向延長部２８４の内面との間に半径方向ギャップが形成される。
【００３０】
任意であるが、ファン４４及び空気ガイド構造体２８は、図１３に示すように、エンドキャップ２２の内側に配置されてもよい。
【００３１】
任意であるが、軸方向及び半径方向の両ギャップが空気ガイド構造体２８の軸方向延長部２８４とファンとの間に形成されてもよい。
【００３２】
空気ガイド構造体２８の軸方向延長部２８４は、モータの軸方向に延びることだけに限定されないことに注意されたい。モータの軸に対して傾斜した方向に延びてもよい。
【００３３】
本発明の説明及び特許請求の範囲において、動詞「備える(comprise)」、「含む(include)」、「収容する(contain)」及び「有する(have)」並びにその変化は、各々、ここに述べたアイテムの存在を特定するために包括的な意味で使用され、付加的なアイテムの存在を除外するものではない。
【００３４】
本発明は、１つ以上の好ましい実施形態を参照して説明したが、当業者であれば、種々の変更がなされ得ることが明らかであろう。それ故、本発明の範囲は、特許請求の範囲によって決定されるものとする。
【００３５】
例えば、本発明は、電子整流モータに限定されないことを理解されたい。又、本発明は、他の形式のモータ、例えば、ユニバーサルモータ、ＰＭＤＣモータ、等にも適用することができる。
【符号の説明】
【００３６】
１０：固定子
１２：固定子コア
１４：巻線
１８：ヨーク
１９：段
２０、２２：エンドキャップ
２４：ロック部材
２６、２７：端部プロテクタ
２８：空気ガイド構造体
４０：回転子
４２：シャフト
４４：ファン
４６：羽根
２０２、２２２：端部
２０４、２２４：軸方向延長部
２８２：端部
２８４：軸方向延長部
【図１】
2011139631.tif 000003
【図２】
2011139631.tif 000004
【図３】
2011139631.tif 000005
【図４】
2011139631.tif 000006
【図５】
2011139631.tif 000007
【図６】
2011139631.tif 000008
【図７】
2011139631.tif 000009
【図８】
2011139631.tif 000010
【図９】
2011139631.tif 000011
【図１０】
2011139631.tif 000012
【図１１】
2011139631.tif 000013
【図１２】
2011139631.tif 000014
【図１３】
2011139631.tif 000015
【外国語明細書】
2011139631.tif 000016
2011139631.tif 000017
2011139631.tif 000018
2011139631.tif 000019
2011139631.tif 000020
2011139631.tif 000021
2011139631.tif 000022
2011139631.tif 000023
2011139631.tif 000024
2011139631.tif 000025
2011139631.tif 000026
2011139631.tif 000027
2011139631.tif 000028